(57)【要約】【課題】正面パネルにおける釦操作を簡略化し、多数のリレー状態を短時間で表示できるようにする。【解決手段】操作判定手段６が正面パネル４における釦操作内容を判定し、この操作判定手段６の出力結果に基づいて表示情報取得手段７はリレー情報データベース２からデータを取得し、正面パネル４に表示される内容が決められ、表示手段８により正面パネル４に当該データを表示するようにしたので、ページめくりの感覚で表示を行なうことができ、限られたＬＥＤに多くの情報を表示することができるようになる。【選択図】図３
2008005641.tif 000002
【特許請求の範囲】
【請求項１】
正面パネルの釦操作内容を判定する操作判定手段と、上記操作判定手段による判断に基づいてデータベースから表示データを取得する表示情報取得手段と、この表示情報取得手段で取得された表示データを正面パネルに表示する表示手段を備えたことを特徴とする電力系統保護監視制御装置。
【請求項２】
上記操作判定手段による操作判定内容を設定するための釦情報設定手段と、表示データの表示順序を設定するための表示パターン設定手段を備えたことを特徴とする請求項１記載の電力系統保護監視制御装置。
【請求項３】
複数のグループからなる表示データを記載した名板を上記正面パネルに取付けたことを特徴とする請求項１または請求項２記載の電力系統保護監視制御装置。
【請求項４】
表示されているデータのグループを明示させるためのグループ表示用ＬＥＤを備えたことを特徴とする請求項３記載の電力系統保護監視制御装置。
【請求項５】
表示されているデータのグループを明示させるための表示器を備えたことを特徴とする請求項１から請求項４のいずれか１項に記載の電力系統保護監視制御装置。
【発明の詳細な説明】
【技術分野】
【０００１】
本発明は電力系統の保護監視制御を行う制御所に設置される電力系統保護監視制御装置に関するものであり、特に保護リレー装置における正面パネルの表示方式の改良に関するものである。
【背景技術】
【０００２】
電力系統保護監視制御装置における正面パネルの表示方式については、従来複数の表示装置（ＣＲＴ等）を予め用意しておき、運転員毎の表示用のウインドウパターンに基づいた画面を表示装置に表示するものがあった（特許文献１参照）。
【０００３】
又保護リレー装置における正面パネルとしては、従来図７に示すようなものがあった。この図７に示すものにおいて、正面パネルのＬＥＤ（発光ダイオード）にリレー動作情報や状態を表示することができた。又正面パネルのＬＣＤにリレー動作や状態を表示するためには、例えばキー３４を押下することにより、メインメニューの選択を行い、次にＥＮＴＥＲキーを押下することにより、サブメニュー選択を行い、そして３１〜３４キーを押下することにより、対象データを選択し、ＥＮＴＥＲキーを押下することにより対象データの画面表示を行い、更にはキー３１〜３４を押下することにより、画面をスクロールするというものである。
【０００４】
【特許文献１】特開平１０−９４１７２号公報
【発明の開示】
【発明が解決しようとする課題】
【０００５】
上記特許文献１に示されたものでは、計算機を使用して得られた情報をＣＲＴ等の表示装置に表示する場合には適用できるが、保護リレー装置のようにマイコンを使用して得られた情報を正面パネルに取り付けられたＬＣＤやＬＥＤに表示する装置に適用することは困難であった。
【０００６】
又図７に示されたものにおいては、正面パネル上における限られたＬＥＤには、限られたリレー動作情報や状態データしか表示できないという問題点があった。またＬＣＤにリレー動作情報や状態を表示するために何回もパネル釦を押す手順を踏まなければならず、操作が煩雑であり、必要な画面に到達するまでに長時間を要するという問題点があった。
【０００７】
この発明は、上記のような課題を解決するためになされたものであり、保護リレー装置の多数のリレー動作情報や状態データを特定のパネル釦操作を行うことにより、正面パネルのＬＥＤに即座に表示することができる保護リレー装置の正面パネルの表示方式を提供するものである。
【課題を解決するための手段】
【０００８】
この発明に係る電力系統保護監視制御装置は、正面パネルの釦操作内容を判定する操作判定手段と、操作判定手段による判断に基づいてデータベースから表示データを取得する表示情報取得手段と、この表示情報取得手段で取得された表示データを正面パネルに表示する表示手段を備えたものである。
【発明の効果】
【０００９】
この発明に係る電力系統保護監視制御装置によれば、正面パネルの釦操作内容を判定する操作判定手段と、操作判定手段による判断に基づいてデータベースから表示データを取得する表示情報取得手段と、この表示情報取得手段で取得された表示データを正面パネルに表示する表示手段を備えるようにしたので、多数のリレー動作情報や状態データを複数のグループに分割し、表示したいグループを正面パネルの特定の釦操作により切り替えることにより、ページめくりの感覚で表示を行なうことができ、限られたＬＥＤに多くの情報を表示することができるようになる。
【発明を実施するための最良の形態】
【００１０】
実施の形態１．
以下この発明の一実施形態を図について説明する。図１はこの発明の実施の形態１による保護リレー装置を示すブロック構成図であり、ＣＰＵ１はリレー情報データベース２から表示情報を得るとともに、入出力インタフェース３を介して正面パネル４にデータの表示を行うものである。
【００１１】
リレー情報データベース２における情報としては、リレーのセンサ情報、内部で作られたシーケンス情報、外部から取り込んでいる遮断機の情報、故障相データ、トリップ要因情報、アラーム情報等がある。
【００１２】
図２はリレー情報データベース２におけるデータベースの内容の一例を示したものであり、図においては、信号１、信号２、信号３が例示されており、それぞれの信号１，２，３がそれぞれのグループを形成している。尚図においては、グループが３つある場合を示しているが、４個以上存在してもよい。
【００１３】
図３はＣＰＵ１による画面表示操作を示すブロック構成図であり、パネル釦操作５を実行すると、操作判定手段６で釦の操作判定を行い、操作判定手段６の出力結果に基づいて、表示情報取得手段７はリレー情報データベース２からデータを取得し、正面パネル４に表示する内容が決められ、表示手段８により正面パネル４にデータを表示するものである。
【００１４】
図４は正面パネルの一例を示す図であり、正面パネル４には、ＬＥＤ（発光ダイオード）９、ＬＣＤ（液晶表示装置）１０及び操作釦１１ａ〜１１ｇが設けられている。
【００１５】
次に動作について図３に基づき説明する。保護リレー装置におけるパネル釦操作５を行うと、この操作情報は操作判定手段６に出力され、そこで釦操作内容について判定を行う。ここでパネル釦操作５とは、操作釦１１ａ〜１１ｇのいずれかの釦を押下することであり、例えば釦１１ａと釦１１ｃを同時に押し続けると、図２における信号１から信号２、信号３と切り替わっていくことになる。パネル釦操作５を実行する前に予めリレー情報データベース２からあるグループのデータ、例えば図２における信号１をＬＥＤに表示させておいても良い。
【００１６】
操作判定手段６で判定された信号が表示情報取得手段７に出力される。表示情報取得手段７ではリレー情報データベース２から情報を収集する。その際、特定の釦操作（例えば釦１１ａと釦１１ｃを同時に押下すること）が行われている場合には、ＬＥＤ９に表示するリレー状態データを収集して、複数のグループ（例えば信号１〜信号３）に分割して構成される。そして表示情報取得手段７で構成されたデータが表示手段８に出力され、表示手段８によりデータがＬＥＤ９に出力され表示される。
【００１７】
図５はこの発明の実施の形態１による保護リレー装置の動作を示すフローチャートである。最初にステップ５０２において、図４に示すＬＥＤ９にリレー状態データの最初のグループ(例えば図２における信号１が故障相データであれば故障相データ)を表示しておく。パネル釦操作５が行われると、操作判定手段６で釦操作内容が判定される。そしてステップ５０３において特定の釦操作であると判定されると、ステップ５０４において、図４に示すＬＥＤ９にリレー状態データの次のグループ（例えば図２における信号２がトリップ要因データであれば、トリップ要因データ）が表示される。
【００１８】
さらに続けてステップ５０５において特定の釦操作が行われたと判断されると、ステップ５０６においてＬＥＤ９に次のグループのリレー状態データ（例えば信号３であるリレーセンサー）が表示される。
【００１９】
そして以降も上記と同様の動作が登録状態の数だけ行われる（ステップ５０７〜５１０）。このように、この発明の保護リレー装置においては、ある特定の釦操作により、多数のリレー状態データが複数のグループ（例えば信号１、信号２、信号３）に分割され、これらのグループが正面パネル４の特定の釦操作により切り替えられ、ＬＥＤ９に表示されるようにしたものである。したがって、従来に比べると釦操作が簡略化され、多くのリレー状態を即座に表示することができるという効果がある。
【００２０】
そして多数のリレー状態データを複数のグループに分割し、表示したいグループを正面パネル４の特定の釦操作により切り替えることにより、ページめくりの感覚で表示を行なうことができ、限られたＬＥＤ９に多くの情報を表示することができるようになる。
【００２１】
実施の形態２．
図６はこの発明の実施の形態２による画面表示操作を示すブロック構成図である。実施の形態１では、操作判定手段６による特定釦の操作判定内容は、予めメーカ側で設定された場合を示したが、この実施の形態２においては、図６に示すように釦情報設定手段２１と釦情報データベース２２を設けるようにしたものである。即ち釦情報設定手段２１により、ユーザは特定釦の操作判定内容を設定し釦情報データベース２２に格納するとともに、この操作判定内容に基づいて操作判定手段６は判定するものである。
【００２２】
また表示情報取得手段７はリレー情報データベース２から正面パネル４のＬＥＤ９に表示すべき情報を収集するが、本実施形態においては、表示パターン設定手段２３と表示パターンデータベース２４を設けたものである。
【００２３】
即ち表示パターン設定手段２３は表示されるリレー状態データグループの表示順序を設定して、表示パターンデータベース２４に格納するとともに、この順序に基づいてデータが表示される。例えば信号１→信号２→信号３の順番で表示されていたものを、信号２→信号１→信号３と表示順序を変えるようにする。
【００２４】
このようにすることにより、ユーザが自ら特定釦の操作内容と表示順序の設定を行うことができるようになる。
【００２５】
以上のように本実施形態によれば、ユーザは自らの手で釦情報設定手段２１により特定釦の操作内容を設定し、更にリレー状態データグループの表示パターン設定手段２３により、表示する情報の表示順序を設定することができるようになる。
【００２６】
実施の形態３．
本実施形態においては、実施の形態１で示したＬＥＤ９に表示されるリレー状態データの内容を各表示グループ毎に名板２５に記載し、名板２５を図４に示すように正面パネル４に取り付けるものである。即ち図４に示された名板２５において、１，２，３は例えば図２における信号１，２，３にそれぞれ該当し、信号１，２，３の内容が縦列に表示されるものである。
【００２７】
以上のように構成することにより、ＬＥＤ９に表示されているグループに係るリレー状態以外のデータについても、他の資料を見ることなく容易に確認できる。
【００２８】
実施の形態４．
本実施形態においては、図４に示すように、正面パネル４の名板２５の上部にグループ表示用ＬＥＤ２６を設置したものである。例えばＬＥＤ９に信号１に係るグループが表示されている場合、名板２５の信号１の真上に位置するグループ表示用ＬＥＤ２６が点灯することにより、表示されているグループが明示されるようになる。
【００２９】
従来においては、ＬＥＤ９に表示されているリレー状態データがどのグループに属しているかを覚えておいたり、或いは資料等を見て確認する必要があったが、本実施形態においては、ＬＥＤ９に表示されているリレー状態データがどのグループのデータなのか、容易に確認できるようになる。
【００３０】
実施の形態５．
本実施形態においては、ＬＥＤ９に表示されているリレー状態データのグループ名を正面パネル４に設けられたＬＣＤ１０に表示するようにしたものである。ＬＥＤ９に表示されるリレー状態データがどのグループに属するデータなのか、ＬＣＤ１０を見ることにより、容易に確認することができるようになる。
【００３１】
特に図４に示した例で言うと、名板２５にはグループ１，２，３が表示されているので、ＬＥＤ９にグループ１，２，３に係るデータが表示されている場合には、グループ表示用ＬＥＤ２６を見ることにより、グループ名を容易に確認できるが、グループが４個以上である場合、グループ４以上のものについては、グループ表示用ＬＥＤ２６では確認できなくなる。
【００３２】
そこで本実施形態においては、グループが４個以上のものであっても、ＬＣＤ１０を確認することにより、グループ名を容易に確認できるようになる。尚上記においてはＬＣＤ１０においてグループ名を表示させるようにしたが、他の表示器によってグループ名を表示させるようにしてもよい。
【図面の簡単な説明】
【００３３】
【図１】この発明の実施の形態１による保護リレー装置を示すブロック構成図である。
【図２】データベースの一例を示す図である。
【図３】画面表示操作を示すブロック構成図である。
【図４】正面パネルの一例を示す図である。
【図５】この発明の実施の形態１による保護リレー装置の動作を示すフローチャートである。
【図６】この発明の実施の形態２による画面表示操作を示すブロック構成図である。
【図７】従来の保護リレー装置の正面パネルを示す図である。
【符号の説明】
【００３４】
４  正面パネル、６  操作判定手段、７  表示情報取得手段、８  表示手段、
２１  釦情報設定手段、２３  表示パターン設定手段、２５  名板、
２６  グループ表示用ＬＥＤ。
【図１】
2008005641.tif 000003
【図２】
2008005641.tif 000004
【図３】
2008005641.tif 000005
【図４】
2008005641.tif 000006
【図５】
2008005641.tif 000007
【図６】
2008005641.tif 000008
【図７】
2008005641.tif 000009